(57)【要約】【課題】  畦草等の柔らかい雑草からすすき等の硬い雑草まで、効率良く安定して刈ることができる刈払機用刈刃を提供すること。【解決手段】  円盤状の台金２の外周縁に複数の刃部３を形成し、この刃部３を、前記台金２の上側に傾斜してこの台金２の上面よりも上側に位置する上側刃６と、前記台金２の下側に傾斜してこの台金２の下面よりも下側に位置する下側刃９と、この下側刃９と前記上側刃６との間の板厚方向に設けた所定の間隙とを備えた構成とし、上側刃６と下側刃９とを交互に配置する。【選択図】  図１
2007097479.tif 000002
【特許請求の範囲】
【請求項１】
円盤状の台金の外周縁に複数の刃部を形成し、
該刃部を、前記台金の上側に傾斜して該台金の上面よりも上側に位置する上側刃と、前記台金の下側に傾斜して該台金の下面よりも下側に位置する下側刃と、該下側刃と前記上側刃との間の板厚方向に設けた所定の間隙とを備えた構成とした刈払機用刈刃。
【請求項２】
前記上側刃と下側刃との間の板厚方向に、少なくとも前記台金の板厚分の間隙を設けたことを特徴とする請求項１記載の刈払機用刈刃。
【請求項３】
前記上側刃と下側刃とを、台金の外周縁に交互に配置したことを特徴とする請求項１又は請求項２記載の刈払機用刈刃。
【請求項４】
前記上側刃と下側刃とを、該上側刃と下側刃との刃底部で台金から屈曲させて形成したことを特徴とする請求項１〜３のいずれか１項に記載の刈払機用刈刃。
【発明の詳細な説明】
【技術分野】
【０００１】
本発明は、柔らかい草から硬い草まで刈れる刈払機用刈刃に関する。
【背景技術】
【０００２】
従来より、畦草やすすき等の雑草を刈る草刈には、刈刃（チップソー）が設けられたエンジン式刈払機が一般的に使用されている。一般的な刈払機は、内部に回転軸が支持された長尺の操作杆を有し、この操作杆の後端に駆動エンジンを備え、操作杆の先端に刈刃が取付けられている。この刈刃は、操作杆の内部に設けられた回転軸によって回転駆動され、種々の刈刃と交換できるように構成されている。この刈払機に使用される刈刃としては、円盤状の台金の外周縁に複数の刃を形成したものが一般的に使用されている。この刈刃は、例えば、前記した畦草のように柔らかい雑草を主に刈る場合は、柔らかい雑草に適した刃形と刃数のものが選択され、すすきのように硬い雑草を主に刈る場合は、硬い雑草に適した刃形と刃数のものが選択される。
【０００３】
一方、このような刈払機で雑草を刈った場合、刈った雑草が刈刃の上面に乗って回転軸部分に絡まるような場合がある。そのため、雑草が回転軸部分に絡まないようにした刈刃が提案されている。例えば、刈刃の装着部の周囲における台金の上面に切り起こし刃を設け、この切り起こし刃の回転方向前側に刃部を形成して、台金の上面に位置する草をこの切り起こし刃で切断して回転軸部分に絡まないようにしたものがある（例えば、特許文献１参照。）。
【特許文献１】登録実用新案第３０４５４９１号公報（第２−３頁、図１，２）
【発明の開示】
【発明が解決しようとする課題】
【０００４】
ところで、前記した畦草等の柔らかい草とすすき等の硬い草とは、必ずしもまとまって群生しているとは限らない。例えば、柔らかい草が多い場所でもすすき等の硬い草が生えている場所や、硬いすすき等の草が多い場所でも柔らかい草が生えている場所もある。しかも、畦草等が多い場所からすすき等の多い場所へ移動した後、畦草等のみの場所へと連続的に移動して草刈りしたい場合もある。
【０００５】
しかしながら、前記したように、刈刃は、その刈る雑草の種類に応じて適したものがあり、適さない刈刃で刈ろうとすると作業効率が低下する。そのため、刈る場所の草に応じて刈刃を交換することも考えられるが、草の種類が変化する度に刈刃の交換を行うと、その作業に時間と労力を要して、この場合も作業効率を低下させてしまう。このように、種々の草が群生している場所で刈払い作業を行う場合には作業効率が低下する。なお、前記特許文献１は、台金の上面に位置する草を切断しようとするものであり、柔らかい雑草から硬い雑草まで安定して刈れるものではない。
【０００６】
そこで、本発明は、畦草等の柔らかい雑草からすすき等の硬い雑草まで、効率良く安定して刈ることができる刈払機用刈刃を提供することを目的とする。
【課題を解決するための手段】
【０００７】
前記目的を達成するために、本発明は、円盤状の台金の外周縁に複数の刃部を形成し、該刃部を、前記台金の上側に傾斜して該台金の上面よりも上側に位置する上側刃と、前記台金の下側に傾斜して該台金の下面よりも下側に位置する下側刃と、該下側刃と前記上側刃との間の板厚方向に設けた所定の間隙とを備えた構成としている。この上側に傾斜した上側刃と下側に傾斜した下側刃とは、台金の板面（上面及び下面）方向から上側刃と下側刃とを見たときに、これら上側刃と下側刃との間に所定の間隙を設けるように傾斜させて形成されている。このような構成によれば、台金の板面から上側に傾いた上側刃と下側に傾いた下側刃とによって草を上下方向に離れた位置で切断するので、それぞれの刃で草を粗く刈ることによって柔らかい雑草から硬い雑草まで効率良く刈ることができる。しかも、草を粗く刈るので、刈った草を散らして回転軸に絡みつくのを防止することができる。
【０００８】
また、前記上側刃と下側刃との間の板厚方向に、少なくとも前記台金の板厚分の間隙を設ければ、板厚方向に大きく離れた上側刃と下側刃とが描くそれぞれの切断円で雑草等を粗く刈って、効率良く刈払い作業を行うことができる。
【０００９】
さらに、前記上側刃と下側刃とを、台金の外周縁に交互に配置してもよい。この上側刃と下側刃との交互配置は、１枚毎、２枚毎、その他の異なる枚数毎に配置してもよい。このように上側刃と下側刃とを交互に配置すれば、硬い草でも上下で交互に切断して効率良く刈ることができる。
【００１０】
また、前記上側刃と下側刃とを、該上側刃と下側刃との刃底部で台金から屈曲させて形成すれば、先端が台金の板面（上面及び下面）から板厚方向に大きく離れるように上側刃と下側刃とを加工することが安定してでき、生産性良く製造することができる。
【発明の効果】
【００１１】
本発明は、以上説明したような手段により、柔らかい雑草から硬い雑草まで安定して刈れる刈払機用刈刃を提供することが可能となる。
【発明を実施するための最良の形態】
【００１２】
以下、本発明の一実施形態を図面に基づいて説明する。図１は、本発明の一実施形態を示す刈払機用刈刃の正面図である。図２(a) は、図１に示す刈払機用刈刃の拡大中央縦断面図であり、(b) は、(a) の刃部を示す拡大斜視図である。図３は、図１に示す刈払機用刈刃の一部を拡大した斜視図である。以下の説明では、図１に示す面を刈刃の上面として説明する。
【００１３】
図１，２に示すように、刈払機用刈刃１には、円盤状の台金２の外周縁に複数の刃部３が形成されている。そして、この刃部３は、台金２の上側に傾斜してこの台金２の上面４よりも上側に先端５が位置する上側刃６と、この台金２の下側に傾斜してこの台金２の下面７よりも下側に先端８が位置する下側刃９とによって構成されている。この実施の形態では、台金２の外周縁に上側刃６と下側刃９とが交互に配置されている。これらの上側刃６と下側刃９とを斜めから見ると、図３に示すように、上側刃６と下側刃９とが交互に上下逆向きに傾斜した刃部３となっている。この実施の形態では、１枚の上側刃６と１枚の下側刃９とを交互に配置した例を示しているが、例えば、２枚の上側刃６と２枚の下側刃９とを交互に配置したり、１枚の上側刃６と１枚の下側刃９との間に台金２とほぼ同一面の中間刃１３（図２(b) に二点鎖線で示す。）を配置するようにしてもよい。これら上側刃６と下側刃９とを交互に設ける構成は他の配置であってもよく、この実施の形態に限定されるものではない。図１中の矢印は、刈払機用刈刃１の回転方向を示しており、中央の取付穴１０で刈払機に取付けられる。
【００１４】
前記上側刃６と下側刃９とは、この実施の形態では同一のチップ刃であり、外周端の回転方向前側にチップ１１，１２がそれぞれ埋め込まれている。上側刃６は、チップ１１の先端上側が台金２の上面４から板厚のほぼ３倍の上側突出量ｓ１で上側に突出するように形成され、下側刃９は、チップ１２の先端下側が台金２の下面７から板厚のほぼ３倍の下側突出量ｓ２で下側に突出するように形成されている。
【００１５】
このように上側刃６と下側刃９とが形成された刈払機用刈刃１によれば、台金２の板面（上面４及び下面７）方向から上側刃６と下側刃９とを見たときに（図２の状態）、これら上側刃６の先端５と下側刃９の先端８とが台金２の上面４及び下面７から突出しており、上側刃６と下側刃９とに設けられたチップ１１，１２の間にほぼ板厚分の間隙ｈが設けられている。この上側刃６と下側刃９との間の板厚方向の間隙ｈは、上側刃６の先端上側における上側突出量ｓ１と下側刃９の先端下側における下側突出量ｓ２とを設定することによって、上側刃６の先端５と下側刃９の先端８との間に所定の間隙ｈが設けられている。このように上側刃６と下側刃９との先端５，８の間に間隙ｈが設けられるように、上側刃６が上側に傾斜させられ、下側刃９が下側に傾斜させられている。この上側刃６を台金２の上面４から上側に突出させる量と、下側刃９を台金２の下面７から下側に突出させる量とは、必ずしも全て同一でなくてもよい。例えば、１枚の刃部３を大きく下側に屈曲させた下側刃９に形成し、次の刃部３をほぼ台金２と同一面の中間刃１３（図２(b) 参照。）に形成し、次の刃部３を大きく上側に屈曲させた上側刃６に形成してもよい。このような上側刃６と中間刃１３と下側刃９とによっても、上側刃６と下側刃９とによって、板厚方向に離れた位置で雑草を刈ることができる。
【００１６】
さらに、この実施の形態では、前記上側刃６と下側刃９とを、刃底部１４から屈曲させることにより台金２の周囲に形成している。このように刃底部１４から上側刃６と下側刃９とを屈曲させて形成することにより、先端５，８が台金２の板面（上面及び下面）から大きく板厚方向に離れるように上側刃６と下側刃９とを加工することが安定してでき、安定した生産性を保つことができる。この上側刃６と下側刃９とを屈曲させる形態としては、刃底部１４から直線的に曲げる加工も曲線的に曲げる加工も含まれる。
【００１７】
このように構成された刈払機用刈刃１を回転させると、図３に示すように、上側刃６の先端５が描く軌跡の切断円ｒ１と、下側刃９の先端８が描く軌跡の切断円ｒ２とが、板厚方向に間隙ｈを隔てて形成される。この実施の形態では、全ての上側刃６を台金２の上面から同一突出量での突出させ、全ての下側刃９を台金２の下面からの同一突出量で吐出させているので、刈払機用刈刃１が回転することによって描かれる軌跡は２段の切断円ｒ１，ｒ２となる。
【００１８】
図４は、図１に示す刈払機用刈刃の使用状態を示す斜視図である。図示するように、前記刈払機用刈刃１は、中央の取付穴１０で刈払機（図示省略）に設けられた操作杆１５の先端に取付けられる。この刈払機用刈刃１は、前記したように操作杆１５の内部に設けられた回転軸（図示省略）により、矢印の方向に回転駆動されるように構成されている。
【００１９】
このように設けられた刈払機用刈刃１によれば、台金２の外周縁に形成された上側刃６と下側刃９とによって板厚方向に離れた２段の切断円ｒ１，ｒ２（図３参照）を描きながら回転するので、畦草等の柔らかい雑草ｗは、板厚方向に離れた上側刃６と下側刃９とに引っ掛かり易くなって上側刃６又は下側刃９、もしくはこれら両方の刃６，９で刈られる。また、すすき等の太く硬い雑草ｔは、板厚方向（上下方向）に離れた位置を上側刃６と下側刃９との２段で同時に刈るので、効率良く刈ることができる。
【００２０】
すなわち、１枚の刈払機用刈り刃１に形成される刃部３を、板厚方向に離れた上側刃６と下側刃９とで構成することにより、それぞれ刃６，９が２段の切断円ｒ１，ｒ２を描きながら回転すると共に、それぞれの刃６，９は刃数が半分になっているので、柔らかい雑草ｗから硬い雑草ｔまで、効率良く刈ることができ、１枚の刈払機用刈刃１の用途範囲を広げることができる。
【００２１】
また、板厚方向に離れた上側刃６と下側刃９とが描く切断円ｒ１，ｒ２は、それぞれの刃数が全体の半分と少なくなるので、刈られる雑草ｗ、ｔは刈り断面が粗く刈られて、雑草ｗ、ｔの生長を抑えることもできる。さらに、下側刃９を台金２の下面７から大きく下側に突出させているので、刈った雑草ｗ、ｔは台金２の下面７から離れて刈られ、刈った雑草ｗ、ｔが台金２の下面７に擦れることなく刈払い作業を安定して行うことができる。しかも、刈った雑草ｗ、ｔは上側刃６と下側刃９との間隙ｈから排出されるので、刈払いスピードを向上させることができる。その上、板厚方向に大きく離れて回転する上側刃６と下側刃９とで粗く刈ると共に、これら板厚方向に離れた上側刃６と下側刃９とによって刈られる雑草ｗ、ｔは飛ばされ、台金２の上面に乗り難くなって回転軸部分に絡まるのを抑止することができる。
【００２２】
さらに、このように１枚の刈払機用刈刃１で刈れる用途範囲を広げることにより、作業場所等の条件によっては刈刃１の交換時間等を削減して、大幅な作業時間の短縮と労力の軽減を図ることができる。
【００２３】
なお、前述した実施形態は一例を示しており、本発明の要旨を損なわない範囲での種々の変更は可能であり、本発明は前述した実施形態に限定されるものではない。
【産業上の利用可能性】
【００２４】
本発明に係る刈払機用刈刃は、柔らかい草から硬い草まで刈る刈払い作業を行う場合の刈払機において利用できる。
【図面の簡単な説明】
【００２５】
【図１】本発明の一実施形態を示す刈払機用刈刃の正面図である。
【図２】(a) は図１に示す刈払機用刈刃の拡大中央縦断面図であり、(b) は(a) の刃部を示す拡大斜視図である。
【図３】図１に示す刈払機用刈刃の一部を拡大した斜視図である。
【図４】図１に示す刈払機用刈刃の使用状態を示す斜視図である。
【符号の説明】
【００２６】
１…刈払機用刈刃
２…台金
３…刃部
４…上面
５…先端
６…上側刃
７…下面
８…先端
９…下側刃
１０…取付穴
１１，１２…チップ
１３…中間刃
１４…刃底部
１５…操作杆
ｈ…間隙
ｒ１，ｒ２…切断円
ｓ１…上側突出量
ｓ２…下側突出量
ｗ…柔らかい雑草
ｔ…硬い雑草
【図１】
2007097479.tif 000003
【図２】
2007097479.tif 000004
【図３】
2007097479.tif 000005
【図４】
2007097479.tif 000006